(57)【特許請求の範囲】
【請求項１】
アイメイクアップ用化粧料を落とすためのクレンジング用具であって、
弾性変形可能なパフ本体と、
前記パフ本体に形成され、所定の基準面からの高さが略同一で互いに対向する少なくとも２面からなる、まつ毛用化粧料除去手段と、を備える、クレンジング用具。
【請求項２】
前記パフ本体は、略フラットな主面と、該主面と略平行な背面とを有し、
前記パフ本体には前記主面から前記背面への貫通孔が形成され、
前記まつ毛用化粧料除去手段は前記貫通孔の内周面である、請求項１に記載のクレンジング用具。
【請求項３】
弾性変形可能で、前記貫通孔に嵌合する付属パフを、さらに備える、請求項２に記載のクレンジング用具。
【請求項４】
前記パフ本体に形成され、第１の所定角度で交差する２面からなる化粧料除去手段を、さらに備える、請求項１に記載のクレンジング用具。
【請求項５】
前記パフ本体に形成され、前記第１の所定角度と異なる第２の所定角度で交差する２面からなる別の化粧料除去手段を、さらに備える請求項４に記載のクレンジング用具。
【発明の詳細な説明】
【技術分野】
【０００１】
本発明は、アイメイクアップ用化粧料を落とすためのクレンジング用具に関する。
【背景技術】
【０００２】
近年、アイメイクアップの多様化が進み、アイシャドウ、アイライン及びマスカラ等の化粧料はもちろん、最近は、付けまつ毛も一般化してきた。これら化粧料のクレンジング時、多くのユーザは、目の周囲に塗布した化粧料にクレンジング料を指でなじませて、化粧料を浮かせる。その後、ユーザは、浮かせた化粧料をクレンジング料と共に水で流す。
【発明の概要】
【発明が解決しようとする課題】
【０００３】
しかしながら、上記のクレンジングでは、図７（Ａ）〜図７（Ｃ）に示すように、化粧料にクレンジング料をなじませる際に、目の周囲に化粧料が広がり、目の周囲が黒くなる。この場合、ユーザは、水で流さない限り、化粧料が綺麗に落ちているかどうかが分からない。もし化粧料が落ちていなければ、ユーザは、再度クレンジングをしなければならない。その結果、肌に負担がかかってしまう。さらに言えば、目の病気まで引き起こしかねない。
【０００４】
それゆえに、本発明の目的は、アイメイクアップ用化粧料を綺麗に落とせるクレンジング用具を提供することである。
【課題を解決するための手段】
【０００５】
上記目的を達成するために、本発明の一形態は、アイメイクアップ用化粧料を落とすためのクレンジング用具であって、弾性変形可能なパフ本体と、前記パフ本体に形成され、所定の基準面からの高さが略同一で互いに対向する少なくとも２面からなる、まつ毛用化粧料除去手段と、を備えている。
【発明の効果】
【０００７】
上記形態により、アイメイクアップ用化粧料を綺麗に落とせるクレンジング用具を提供することが可能となる。
【図面の簡単な説明】
【０００８】
【図１】本発明の一実施形態に係るクレンジング用具（付属パフ収納時）を示す斜視図である。
【図２】クレンジング用具（付属パフ収納時）の上面図である。
【図３】クレンジング用具（付属パフ取り外し時）を示す斜視図である。
【図４】レンジング用具（付属パフ取り外し時）の上面図である。
【図５】（Ａ）〜（Ｄ）は、クレンジング用具の使用方法を示す模式図である。
【図６】（Ａ）〜（Ｄ）は、クレンジング用具の作用・効果を示す模式図である。
【図７】（Ａ）〜（Ｃ）は、従来のクレンジングの手順を示す模式図である。
【発明を実施するための形態】
【０００９】
以下、本発明の一実施形態に係るクレンジング用具について、上記の図面を参照して説明する。いくつかの図面には、Ｘ軸、Ｙ軸及びＺ軸が示されている。Ｘ軸、Ｙ軸及びＺ軸は、クレンジング用具の横方向、奥行き方向及び高さ方向を示す。
【００１０】
（クレンジング用具の構成）
図１〜図４において、クレンジング用具は、パフ本体１と、付属パフ２と、を備えている。本実施形態において、パフ本体１も付属パフ２も、クレンジング時に用いられ、皮膚又はまつ毛に塗布された化粧料を落とすためのスポンジ状あるいは表面が毛羽立った用具である。パフの素材としては、弾性変形可能な天然素材や合成素材がある。天然素材としては、海綿やこんにゃく等が例示される。また、合成素材としては、ウレタン、ラテックス、ＰＶＡ（Ｐｏｌｙｖｉｎｙｌ Ａｌｃｏｈｏｌ）等が例示される。このように、様々な素材がパフには用いられるが、本実施形態では、合成素材の一例であるウレタンスポンジが採用される。ウレタンスポンジを採用するのは、完全無黄変・無変色、防カビ・防菌性、無臭、高耐久性、心地よい感触等、多くの優れた特性を持つからである。
【００１１】
パフ本体１は、目の周囲（まつ毛を含む）に塗布された化粧料を落とすために用いられ、主面１１と、背面１２と、手前側及び奥側の主側面１３，１４と、副側面１５〜１８と、を備えている。
【００１２】
主面１１及び背面１２は、目の周囲のクレンジングに適した大きさや形状を有するフラットな面である。本実施形態では、例示的に、主面１１及び背面１２は、互いに略同一形状で、魚を模した形状を有する。主面１１及び背面１２について、ｘ軸方向長さは約８ｃｍ（最大値）で、ｙ軸方向幅は約４ｃｍ（最大値）である。また、主面１１及び背面１２はそれぞれ、具体的には、曲線Ｃ１，Ｃ２と、線分Ｌ１〜Ｌ４とからなる。
【００１３】
曲線Ｃ１，Ｃ２は、ｚｘ面に平行な中心面Ｐ（図２，図４を参照）に対し互いに略対称である。また、曲線Ｃ１，Ｃ２の一端同士は、角度θ１をなすよう接続されるが、曲線Ｃ１，Ｃ２の他端間は約１．５ｃｍの距離だけ離れている。
【００１４】
線分Ｌ１の一端は曲線Ｃ１の他端と接続され、この接続箇所から、線分Ｌ１は斜めに約２．０ｃｍ程度延びている。線分Ｌ２の一端は線分Ｌ１の他端と接続され、この接続箇所から、線分Ｌ２は斜めにかつ中心面Ｐまで延びている。線分Ｌ２の長さは約１．５ｃｍである。ここで、線分Ｌ１，Ｌ２は、角度θ２をなすように接続される。角度θ２は、上記角度θ１と同一角度でも良いが、上記角度θ１よりも小さな角度であることが好ましい。
【００１５】
線分Ｌ３，Ｌ４は、中心面Ｐを基準として線分Ｌ２，Ｌ１と略対称であるため、それぞれの詳細な説明を省略する。
【００１６】
上記のような主面１１は、背面１２を基準としてｚ軸方向に約２ｃｍの間隔をあけ、かつ背面１２に平行になるように形成される。また、図２に示すように、パフ本体１を上面視した時、主面１１及び背面１２は、はみ出ないように重なり合っている。
【００１７】
主側面１３は、主面１１の曲線Ｃ１及び背面１２の曲線Ｃ１の間に形成され、主側面１４は、主面１１の曲線Ｃ２及び背面１２の曲線Ｃ２の間に形成される。これら主側面１３，１４は、ｘｙ平面に略直交する湾曲面である。これら主側面１３，１４は、曲線Ｃ１，Ｃ２の一端側にて角度θ１で交差する。この主側面１３，１４の交差部分が、パフ本体１の先端部１１０となる。この先端部１１０は、詳細は後述するが、目の周囲の細部のクレンジングする際に用いられる。その意味で、この先端部１１０は、化粧料除去手段の第１例となる。
【００１８】
副側面１５は、主面１１の線分Ｌ１及び背面１２の線分Ｌ１の間に形成され、副側面１６は、主面１１及び背面１２の線分Ｌ２の間に形成される。これら副側面１５，１６は、ｘｙ平面に略直交しており、上記の通り角度θ２で交差する。
【００１９】
副側面１７，１８は、中心面Ｐを基準として副側面１６，１５と略対称であるため、それぞれの詳細な説明を省略する。
【００２０】
上記副側面１５，１６により、パフ本体１からの突出部１１１が形成され、上記副側面１７，１８により、パフ本体１からの突出部１１２が形成される。これら突出部１１１，１１２は、詳細は後述するが、先端部１１０と同様、目周囲の細部のクレンジングに用いられる。この意味で、突出部１１１，１１２は、化粧料除去手段の第２例となる。
【００２１】
以上のような外形のパフ本体１には、図４に示すように、上面視が略楕円形の貫通孔ｈが形成される。貫通孔ｈについて、ｘ軸方向の長さ（最大値）は約４．５ｃｍで、ｙ軸方向の長さ（最大値）は約１．５ｃｍである。
【００２２】
また、貫通孔ｈによりパフ本体１には、内周面１９が形成される。主側面１３，１４から内周面１９までの距離は約１．０ｃｍにされる。この内周面１９は、詳細は後述するが、まつ毛に塗布された化粧料のクレンジングに用いられる。この観点で、内周面１９は、まつ毛用化粧料除去手段となる。内周面（まつ毛用化粧料除去手段）１９は、中心面Ｐを挟んで互いに対向する２つの面からなる。この２つの面の上端は、例えばｘｙ平面を基準として、互いに略同一の高さを有する。下端についても同様である。
【００２３】
付属パフ２は、例えば、口の周囲に塗布された化粧料（口紅やリップグロス）を落とすために用いられ、上記貫通孔ｈに嵌合するような外形形状を有する。
【００２４】
（クレンジング用具の使用方法）
上記実施形態に係るクレンジング用具は、アイメイクアップ用の化粧料を落とす際に使用される。以下、使用方法の具体例を説明する。
【００２５】
まゆ毛やまぶたをクレンジングする際、ユーザは、パフ本体１の主側面１３，１４のいずれか又は両方にクレンジング料を含ませ、なじませる。その後、ユーザは、図５（Ａ）に示すように、クレンジング料を含ませた部分を、化粧料（黛やアイシャドウ）が塗布された部位（まゆ毛やまぶた）に当てて、クレンジングを行う。
【００２６】
また、まつ毛をクレンジングする際、ユーザは、パフ本体１のまつ毛用化粧料除去手段（内周面）１９にクレンジング料をなじませる。次に、ユーザは、パフ本体１の主面１１又は背面１２を目の周囲に当てる。その後、ユーザは、図５（Ｂ）に示すように、両方の主側面１３，１４を複数本の指で押さえて、まつ毛を上下からまつ毛用化粧料除去手段１９で挟み込んで、クレンジングを行う。これにより、マスカラ等の化粧料が取り除かれる。
【００２７】
また、目の周囲の細部（例えば、アイライナーを塗布した部位）をクレンジングする際、ユーザは、パフ本体１の先端部１１０又は突出部１１１，１１２にクレンジング料をなじませる。その後、ユーザは、図５（Ｃ）に示すように、クレンジング料を含ませた部分（突出部１１１，１１２）を、アイライン部分に当ててクレンジングを行う。
【００２８】
また、まつ毛エクステンションをしている場合、主側面１３，１４やまつ毛用化粧料除去手段１９で目の周囲をこすることは好ましくないので、突出部１１１，１１２を用いて目の周囲の細部をクレンジングすることが好ましい。
【００２９】
また、例えば、口の周囲をクレンジングする際、ユーザは、付属パフ２の周囲にクレンジング料をなじませる。その後、ユーザは、図５（Ｄ）に示すように、クレンジング料を含ませた部分を、口の周囲に塗布された化粧料（口紅やリップグロス）に当てて、クレンジングを行う。
【００３０】
（クレンジング用具の作用・効果）
次に、クレンジング用具の作用・効果について説明する。図６（Ａ）には、手の甲にアイライナー及びアイシャドウが塗布された様子が示されている。これをクレンジングする際、クレンジング料をなじませた主側面１３，１４が化粧料の塗布部位に当てられる。この間、図６（Ｂ）〜図６（Ｄ）に示すように、パフ本体１が早い段階から化粧料を吸収するとともに、クレンジング料も同時に吸収する。このように、化粧料及びクレンジング料が吸収されているので、水で流す前に化粧料の落ち具合をユーザが確認できる。この確認後に水で流せるため、化粧料は一度のクレンジングで綺麗に落ちる。
【００３１】
また、パフ本体１の主側面１３，１４は湾曲しているため、目の周囲（まゆ毛やまぶた）の塗布部位に当てやすくなる。それによって、目の周囲の化粧料を落としやすくなる。
【００３２】
また、パフ本体１には貫通孔ｈが形成され、上記のような構成を有するまつ毛用化粧料除去手段１９でまつ毛を挟み込むことが可能に形成されている。それによって、まつ毛の化粧料を落としやすくなる。
【００３３】
また、パフ本体１には、先端部１１０及び突出部１１１，１１２が形成される。これらを用いれば、ユーザは、目の周囲の細部の化粧料を容易に落とすことが可能となる。また、先端部１１０の角度θ１及び突出部１１１，１１２の角度θ２を互いに異なる角度にすることで、様々な部位のクレンジングに好適なクレンジング用具を提供することが可能となる。
【００３４】
また、パフ本体１には、まつ毛のクレンジング用に貫通孔ｈが形成される。この貫通孔ｈには、例えば、別の部位（例えば口の周囲）のクレンジング用に付属パフ２が嵌合される。この付属パフ２は、口の周囲のクレンジングだけでなく、様々な用途に使用可能である。このような付属パフ２により、使い勝手の良いクレンジング用具を提供することが可能となる。
【００３５】
また、本実施形態では、素材としてウレタンスポンジが採用されている。これにより、目の周囲というデリケートな部位に好適なクレンジング用具を提供することが可能となる。
【００３６】
（付記）
上記実施形態の説明では、パフ本体１及び付属パフ２は中心面Ｐに対し対称な外形を有するとして説明した。しかし、これに限らず、パフ本体１及び付属パフ２の外形は、非対称でも構わない。
【００３７】
上記実施形態の説明では、ユーザは、クレンジング時に、主側面１３，１４を使ってまゆ毛やまぶたの化粧料を落とし、まつ毛用化粧料除去手段１９を使ってまつ毛の化粧料を落とす。突出部１１１，１１２で、目の周囲の細部の化粧料が落とされる。それゆえ、パフ本体１の各部寸法、ユーザの目の大きさを考慮して選ばれれば良い。換言すると、パフ本体１の各部寸法は、上記の具体的な値に限られず、適宜選ばれる。
【００３８】
また、上記実施形態の説明では、パフ本体１には貫通孔ｈが形成されていた。しかし、これに限らず、パフ本体１には、まつ毛をクレンジング可能であれば、非貫通孔が形成されても構わない。
【産業上の利用可能性】
【００３９】
本発明に係るクレンジング用具は、化粧料を綺麗に落とせ、アイメイクアップ用に好適である。
【符号の説明】
【００４０】
１  パフ本体
１１  主面
１２  背面
１３，１４  主側面
１５，１６，１７，１８  副側面
１９  内周面（まつ毛用化粧料除去手段）
１１０  先端部（化粧料除去手段）
１１１，１１２  突出部（化粧料除去手段）
θ１，θ２  交差角度
ｈ  貫通孔
２  付属パフ
【図１】
0005342661.tif 000002
【図２】
0005342661.tif 000003
【図３】
0005342661.tif 000004
【図４】
0005342661.tif 000005
【図５】
0005342661.tif 000006
【図６】
0005342661.tif 000007
【図７】
0005342661.tif 000008